(57)【要約】  【課題】土および肥料の流亡の抑制および土壌構造の向上を実現すること、さらに、生産者に対する経済的損失を抑制するとともに、経済的負担の削減をすること。  【解決手段】畦筋に沿って溝を形成する行程、溝の両側に施肥する行程、溝上と肥料上に土寄せする行程を少なくとも含む。  【選択図】図３
2005046042.tif 000002
【特許請求の範囲】
【請求項１】
畦筋に沿って溝を形成する行程、
溝の両側に施肥する行程、
溝上と肥料上に土寄せする行程、
を少なくとも含み、
前記溝上を播種範囲とする播種用圃場形成方法。
【請求項２】
走行しながら播種用圃場を形成する装置であって、
前方に畦筋に沿って溝を形成する溝堀装置を、後方に畦筋に沿うとともに、溝の両側に施肥する施肥用プランターを備え、さらに前記施肥用プランターの後方に溝上と肥料上に土寄せする土寄せ手段を少なくとも含むことを特徴とする播種用圃場形成装置。
【請求項３】
溝堀装置は、ばね作用を有しており、溝堀時において土の抵抗による変形と土の抵抗の減少による自動復帰とを繰り返すことによって生じる振動を利用して、土を細かく粉砕しながら溝を掘削することを特徴とする請求項２に記載の播種用圃場形成装置。
【発明の詳細な説明】
【技術分野】
【０００１】
本発明は、播種に適した圃場の形成方法と、この方法を具体的に実施するための播種用圃場形成装置に関する。
【背景技術】
【０００２】
通常、農作物の播種には、土壌を砕土しながら形成された畦の畦間に、その畦筋に沿って播種用の浅溝を掘削し、当該浅溝に肥料を施肥して播種をしている。
【発明の開示】
【発明が解決しようとする課題】
【０００３】
しかしながら、砕土された土壌は、軟らかく空気層を多く含んでおり、基本的には良好なものであるものの、逆に、水分が貯溜しやすいために土自体の流亡が発生しやすく、傾斜地の圃場においては、畦ずれが生じる可能性が極めて高いものである。
また、例えば、とうもろこしのように茎が長い農作物の場合には、土壌が農作物を支えきれずに農作物が倒れてしまうということもあった。
さらに、前記した方法での播種では、軟らかい土壌であるため、雨が大きな要因となる肥料の流亡が生じ、種子に対して肥料を作用させにくいということがあった。
また、施肥時において前記肥料の流亡分に相当する肥料を多く施肥する方法もあるが、今方法では、種子に対する肥料やけの発生や土壌への悪影響の発生の可能性がある上に、肥料のコストも負担が大きいものである。
このような問題点については、収量の確保に大きく影響し、すなわち、収量の減少はそのまま生産者の減収、経済的損失となるが、これを解決する先行技術文献情報に関しては、本願出願人が知りうる範囲では存在しない。
【０００４】
そこで本発明は、土および肥料の流亡の抑制および土壌構造の向上を実現すること、さらに、生産者に対する経済的損失を抑制するとともに、経済的負担の削減をすることを課題とし、その課題を実現した播種用圃場の形成方法および播種用圃場の形成装置の提供を目的とする。
【課題を解決するための手段】
【０００５】
上記した目的を達成するために本発明は下記の技術的手段を採用した。
その技術的手段は、畦筋に沿って溝を形成する行程、溝の両側に施肥する行程、溝上と肥料上に土寄せする行程を少なくとも含み、前記溝上を播種範囲とする播種用圃場形成方法である。（請求項１）
【０００６】
そして、前記方法を具体的に実施する装置として本発明では下記の技術的手段を採用した。
その技術的手段は、走行しながら播種用圃場を形成する装置であって、前方に畦筋に沿って溝を形成する溝堀装置を、後方に畦筋に沿うとともに、溝の両側に施肥する施肥用プランターを備え、さらに前記施肥用プランターの後方に溝上と肥料上に土寄せする土寄せ手段を少なくとも含むことを特徴とする播種用圃場形成装置である。（請求項２）
さらに、溝堀装置は、ばね作用を有しており、溝堀時において土の抵抗による変形と土の抵抗の減少による自動復帰とを繰り返すことによって生じる振動を利用して、土を細かく粉砕しながら溝を掘削することを特徴とする播種用圃場形成装置である。（請求項３）
【発明の効果】
【０００７】
本発明によれば、以下の効果を有する構造の圃場を形成することができる。
この構造の圃場では、耕して軟らかく空気層を有する土壌（以下、「軟土壌」という）とした畦間の耕されていない固い土壌（以下、「固土壌」という）に溝を形成し、その溝の両側に施肥をする。
そして、前記軟土壌を肥料と溝上に被せることによって、溝内と溝上端から上方の土壌が軟土壌、それ以外は固土壌の圃場となるとともに、肥料が固土壌の上端部、かつ溝の両側にに位置する。
つまり、施肥された肥料は、溝の両側に固土壌に載置されるように位置しているので、流亡を抑制することができるので、肥料の削減に大きく貢献することができる。
【０００８】
また、種子は、軟土壌の溝上に播種され、成長当初では、軟土壌に含まれる水分と養分を吸収しながら溝内に向かって成長し、その過程で肥料を吸収させることができる。
溝内には前記で軟土壌を被せたときにこの軟土壌が溝内に入り込むが、このとき、土壌の粒子や溝内との接触抵抗によって、溝の深さ全域に入り込むことが抑制されるため、溝の下端に部分的または溝の長手方向全域に亘って空間が形成され、この空間が空気層および排水空間として利用することができる。
つまり、軟土壌からの余分な水分は溝内に流入するとともに、排水空間へ排水され、しかも固土壌が溝上方の軟土壌を支えて土の流亡を抑制することができる。
その上、農作物の成長の過程で根が溝内および溝内から溝周りの固土壌にまで伸びるが、このときに欠かせない空気を固土壌内で確保することができるとともに、排水空間に至る水分を吸収させることができる。
しかも、成長した農作物は、溝内と固土壌で根を張るので、茎が長い農作物でもしっかりとこれを保持することができる。
【０００９】
したがって、肥料の流亡を抑制して良好な圃場状態とするとともに、土の流亡を抑制して良好な土壌状態を保持でき、しかも、空気層、水層、固層をバランスよく備え、農作物をしっかりと保持する播種用の圃場構造を形成することができる。
さらに、後述するように、本願発明で形成された圃場は、従来構造の圃場に比べて地温が高い結果が得られている。
この結果は、本願発明で形成された圃場の地温が高いため肥料分解の効率性に優れ、肥料の成分を効率的に作物に吸収させることができる。
しかも、保温性の向上にも寄与して霜の防止に有効であって、冷害による被害を抑制することが期待できる。
よって、生産者に対する経済的損失の抑制および生産者に対する経済的負担の削減をすることを達成することができる。
【００１０】
また、溝堀装置は、走行によって発生する抵抗と、その抵抗で生じる自身のばね作用を利用して溝を掘削するものであるので、装置自身を作動させる動力が不要であって、各種コストの低減に大きく貢献する。
【発明を実施するための最良の形態】
【００１１】
本発明の播種用圃場形成装置では、土寄せ手段の後方に、それぞれ周知の土均しローラー、播種用の溝を形成する播種用溝形成手段および播種手段、その後に土を被せるための土寄せ手段、その後に土を均す土均しローラー等を設けることも任意である。
また、本発明の播種用圃場形成装置は、牽引車に牽引されて走行するタイプや、自走式いずれでもよい。
【実施例】
【００１２】
以下、本発明の播種用圃場形成方法および播種用圃場形成装置（以下「形成装置」という）１の実施例を図１および図２に基づいて説明する。
まず、形成装置１を説明すると、前方から溝堀装置２、施肥用プランター３、土寄せ手段４、土均しローラー５、播種用溝形成手段６、播種手段７、第２土寄せ手段８、第３土均しローラー９を備えてなる牽引式のものである。
なお、土均しローラー５、播種用溝形成手段６、播種手段７、第２土寄せ手段８、第３土均しローラー９は、周知のものであるのでこれらの説明は省略する。
【００１３】
溝堀装置２は、畦Ａ間の溝１０を形成する位置に溝１０を形成可能に固定されている。
溝堀装置２は、金属製のものであり、図１に示すように、例えば、略Ｓ字状を呈する形態とすることによってばね作用を備えるようにしている。
このような形態の溝堀装置２は、略Ｓ字状における上側曲部２１を前側に回り込ませるとともに、当該上側曲部２１から連続する下側曲部２２を後側に突出させて下側端部２３が畦Ａに対向する状態としている。
符号２４は溝堀板であり、この溝堀板２４は、略溝１０の深さに対応する長さのものであって、下側曲部２２の下側端部２３に着脱可能に固定してある。
ところで、作物によって溝１０の深さが異なるが、この場合長さが異なる溝堀板を用意し、植え付ける作物に対応する溝１０を形成する長さのものに交換することによって、多様な深さの溝を形成することができる。
【００１４】
施肥用プランター３は、周知のホッパー形状の肥料タンク３１と、肥料タンク３１の落下口３２の直下に位置する振り分け具３３とから構成されている。
振り分け具３３は、幅みを溝１０の幅と略同幅とする円盤状のものであり、肥料タンク３１から落下する肥料Ｂを溝１０の左右に振り分けて落とすものである。
なお、前記溝堀装置とプランターは、畦筋を交差する方向に複数並列させることによって、複数の畦に同時に溝の掘削と施肥可能にするとよい。
前記溝堀装置とプランターの数は任意である。
【００１５】
土寄せ手段４は、２枚の円盤を前方に向けて拡げて配置し、走行中に溝１０両側の畦Ａの軟土壌Ａ１を、拡開された前方側で確保し、確保した軟土壌Ａ１を徐々に溝１０方向へ寄せて、溝１０上と肥料Ｂの上に被せるように土寄せをするようにされている。
土寄せ後には、土均しローラー５で土壌を均し、播種用溝形成手段６によって播種用溝１２を形成し、この播種用溝１２に播種手段７で播種し、第２土寄せ手段８で土寄せして軟土壌Ａ１を種子Ｃにかぶせ、最後に第２土均しローラー９で軟土壌Ａ１を均すようにしてある。
【００１６】
以下、前記した形成装置１を用いた播種用溝形成方法を図３に基づいて説明する。
圃場を耕し、耕した軟土壌Ａ１で畦Ａを形成し、畦Ａの下方を耕されない固土壌Ａ２にしておく。（図３（Ａ））
形成された畦Ａ間に溝堀装置２を挿し込み前進させると、溝堀装置２が畦間に溝１０を形成する。（図３（Ｂ）および（ｃ））
溝１０を形成した直後には、図４に示すように、前記施肥用プランターから溝１０の両側、かつ固土壌Ａ２上に肥料Ｂが左右に振り分けられて落とされる。（図３（Ｄ））
施肥直後には、土寄せ手段４で軟土壌Ａ１を溝１０上および肥料Ｂ上に被せて、土均しローラー５で軟土壌Ａ１を均す。（図３（Ｅ））
このとき、溝１０の下端部分には、軟土壌Ａ１の余分な水分を排水するとともに、空気層として利用する排水空間１１が形成される。
このような方法によって、畦筋に沿って形成された溝１０の両側に肥料Ｂが位置した状態で、その上方に軟土壌Ａ１が有り、この軟土壌Ａ１における前記溝１０上を播種範囲とする播種用圃場を形成することができる。
【００１７】
前記した動作によって、播種用圃場が形成され、その直後には、播種用溝形成手段６によって前記溝１０の直上に播種用溝１２を形成し（図４（Ａ））、この播種用溝１２に播種手段７で種子Ｂを播種する（図４（Ｂ））。
播種した直後には、前記第２土寄せ手段で播種用溝１２に軟土壌Ａ１を被せ、前記第２土均しローラーで軟土壌Ａ１を均す（図４（Ｃ））。
このようにした播種用圃場に播種すると、種子Ｃは軟土壌Ａ１の水分と養分を吸収し、さらにその過程で肥料Ｂの養分を吸収しながら成長し、溝１０内の軟土壌Ａ１および溝１０周りの固土壌Ａ２に根を張り、排水空間１１内の排水された水分と空気によってさらに成長すし、成長した農作物Ｄは、固土壌Ａ２によってしっかりと保持される（図４（Ｄ））。
【００１８】
本願出願人は、前記のように形成された播種用圃場のさらなる効果について、下記の試験を行った。
本試験は、従来の圃場構造（以下「慣行区」という）と本願発明で形成された圃場構造（以下「改善区」という）において、それぞれ、１８日間（２００３／５／２６〜６／１２）、１時間毎に、地下８ｃｍの地温を測定した。
そして、１時間毎の各地温を積算した結果、慣行区の５７４９．５℃に対して改善区では５８０６．２℃であり、積算地温差が５６．７℃という結果が得られた。
さらに、前記積算地温の１日平均地温が慣行区の３５９．３℃に対して改善区では３６２．９であり、その１日あたりの地温差が３．５であった。
つまり、改善区の圃場構造は、慣行区の圃場構造に比べて地温が高いことから保温性に優れており、この優れた保温性が肥料の分解効率の向上や霜の防止に大きく寄与するものと期待できる。
また、優れた保温性は、例えば、標高差によって生じる温度差で、ある農作物を作れなかった地域においても同様に作ることができるものと期待できる。
【図面の簡単な説明】
【００１９】
【図１】本発明にかかる施肥装置を模式的に示す側面図。
【図２】図１の（２）‐（２）線断面図。
【図３】播種用圃場形成方法を示す行程図。
【図４】播種行程および農作物成長状態を示す。
【符号の説明】
【００２０】
Ａ：畦
Ａ１：軟土壌
Ａ２：固土壌
１：播種用圃場形成装置
２：溝堀装置
３：施肥用プランター
４：土寄せ手段
１０：溝
Ｂ：肥料
Ｃ：肥料
Ｄ：農作物
【図１】
2005046042.tif 000003
【図２】
2005046042.tif 000004
【図３】
2005046042.tif 000005
【図４】
2005046042.tif 000006